(57)【要約】【課題】  電話交換網の規模に拘らず、電話端末のＶｏＩＰ化によるルート情報の変更処理を不要とし、運用負担の軽減によるコスト低減を図る。【解決手段】  各中継交換機１１及び加入者交換機１２に、予め電話番号に依存しないゲートウェイサーバ３へのルート情報を登録しておき、着信があったときには、着信を検出した中継交換機１１又は加入者交換機１２が、ＩＰ電話端末２１を管理しているＶｏＩＰ端末管理情報サーバ２３にアクセスし、接続先の電話端末１３が、ＩＰ電話端末２１として管理されているかどうかを判別する。その判別結果に基づいて電話番号に対応するルート情報、又はゲートウェイサーバ３へのルート情報を選択し、この選択されたルート情報に基づいて接続制御を行う。【選択図】  図１
2005175522.tif 000002
【特許請求の範囲】
【請求項１】
中継交換機、加入者交換機等の電話交換機及び電話端末が接続された電話交換網とインターネット電話端末が接続されたインターネットとがゲートウェイサーバを介して接続されたネットワークシステムにおける電話交換システムにおいて、
前記インターネット電話端末の電話番号を管理する端末管理情報サーバを設けると共に、この端末管理情報サーバと前記電話交換機とを共通線信号網を介してアクセス可能に構成し、
予め前記電話交換機から前記ゲートウェイサーバへのルート情報を電話交換機毎に登録する手段と、
任意の電話端末又は電話交換機からの着信に応答してどの電話端末又は電話交換機からの着信かを分析する手段と、
着信が前記加入者交換機に接続された電話端末又は前記中継交換機に接続された他の電話交換網の電話交換機からの着信である場合、着信を検出した前記加入者交換機又は中継交換機から前記端末管理情報サーバにアクセスする手段と、
接続先の電話端末が前記端末管理情報サーバに管理されている電話端末かどうかを判別する手段と、
前記接続先の電話端末が前記端末管理情報サーバに管理されている電話端末でなければ電話番号に対応する前記電話交換網のルート情報をもとに接続制御を実行し、前記接続先の電話端末が前記端末管理情報サーバに管理されている電話端末であれば前記登録されたゲートウェイサーバへのルート情報に基づいて接続制御を実行する手段と
を備えたことを特徴とする電話交換システム。
【請求項２】
前記ゲートウェイサーバは、複数設けられ、
前記ゲートウェイサーバへのルート情報を登録する手段は、前記複数のゲートウェイサーバへの複数のルート情報を前記中継交換機及び加入者交換機毎に登録する手段であり、
前記端末管理情報サーバは、前記インターネット電話端末の電話番号と前記インターネット電話端末に対応するルート情報とを管理するものである
ことを特徴とする請求項１記載の電話交換システム。
【請求項３】
中継交換機、加入者交換機及び電話端末が接続された電話交換網とインターネット電話端末が接続されたインターネットとがゲートウェイサーバを介して接続されると共に、前記インターネット電話端末の電話番号を管理する端末管理情報サーバを設け、この端末管理情報サーバと前記中継交換機及び加入者交換機とを共通線信号網を介してアクセス可能に構成したネットワークシステムに使用される加入者交換機であって、
予め前記ゲートウェイサーバへのルート情報を登録する手段と、
任意の電話端末からの着信に応答してどの電話端末からの着信かを分析する手段と、
着信が自己の加入者交換機に接続された電話端末からの着信である場合、前記端末管理情報サーバにアクセスする手段と、
接続先の電話端末が前記端末管理情報サーバに管理されている電話端末かどうかを判別する手段と、
前記接続先の電話端末が前記端末管理情報サーバに管理されている電話端末でなければ電話番号に対応するルート情報をもとに接続制御を実行し、前記接続先の電話端末が前記端末管理情報サーバに管理されている電話端末であれば前記登録されたゲートウェイサーバへのルート情報に基づいて接続制御を実行する手段と
を備えたことを特徴とする加入者交換機。
【請求項４】
中継交換機、加入者交換機等の電話交換機及び電話端末が接続された電話交換網とインターネット電話端末が接続されたインターネットとがゲートウェイサーバを介して接続されると共に、前記インターネット電話端末の電話番号を管理する端末管理情報サーバを設け、この端末管理情報サーバと前記中継交換機及び加入者交換機とを共通線信号網を介してアクセス可能に構成したネットワークシステムに使用される中継交換機であって、
予め前記ゲートウェイサーバへのルート情報を登録する手段と、
任意の電話交換機からの着信に応答してどの電話交換機からの着信かを分析する手段と、
着信が他の電話交換網に接続された電話交換機からの着信である場合、前記端末管理情報サーバにアクセスする手段と、
接続先の電話端末が前記端末管理情報サーバに管理されている電話端末かどうかを判別する手段と、
前記接続先の電話端末が前記端末管理情報サーバに管理されている電話端末でなければ電話番号に対応するルート情報をもとに接続制御を実行し、前記接続先の電話端末が前記端末管理情報サーバに管理されている電話端末であれば前記登録されたゲートウェイサーバへのルート情報に基づいて接続制御を実行する手段と
を備えたことを特徴とする中継交換機。
【発明の詳細な説明】
【技術分野】
【０００１】
本発明は、電話交換網とインターネット（以下、「ＩＰネットワーク」とも呼ぶことがある。）が接続されたネットワークシステムにおける加入者交換機、中継交換機及び電話交換システムに関し、特に電話交換網に接続された電話端末を同一電話番号でインターネット電話端末に変更する際のルート情報変更を容易にした加入者交換機、中継交換機及び電話交換システムに関する。
【背景技術】
【０００２】
近年、インターネットのブロードバンド化及び常時接続化に伴い、音声情報をパケット化してＴＣＰ／ＩＰによりＩＰネットワークを介して送受信するインターネット電話（以下、「ＩＰ電話」と呼ぶ）が普及しつつある。ＩＰ電話では、ＩＰネットワークと一般の電話交換網とを、音声・パケット変換機能を有するゲートウェイサーバを介して接続することにより、既存のインフラを最大限利用することがなされている。
【０００３】
また、ＩＰネットワークと一般の電話交換網とを接続したシステムにおいて、ＩＰネットワークに接続されたディレクトリサーバに「電話番号」と「ＩＰアドレス」とを関連付けるレコードを記憶し、ＩＰ電話端末からディレクトリサーバにアクセスして相手端末がＩＰ電話か一般電話かの情報、及びＩＰ電話である場合には、そのＩＰアドレスを取得し、相手端末のＩＰアドレスを取得した場合には、ＩＰ電話端末によるＩＰネットワークを介した通話を行い、相手端末が一般電話である場合には、ゲートウェイサーバを選択して電話交換網経由での通話を行うようにした電話交換システムも知られている（特許文献１）。
【特許文献１】特開平１５−０１８２９４号公報（段落００２８〜００３５、図１）
【発明の開示】
【発明が解決しようとする課題】
【０００４】
ところで、電話交換網に使用される電話交換機は、中継交換機と加入者交換機とに大別され、各中継交換機には、他の中継交換機及び配下の加入者交換機へのルート情報が記憶され、各加入者交換機には、上位の中継交換機及び配下の加入者端末へのルート情報が記憶される。このような電話交換網で発呼側の加入者端末から着呼側の加入者端末へ通話を行う場合、各交換機に記憶されているルート情報に従って回線が接続される。
【０００５】
従って、電話交換網に接続された電話端末を、ＩＰ電話端末としても利用可能とした場合、ＩＰネットワーク経由での接続ルートと、一般電話交換網での接続ルートとが異なるため、前者の場合、電話番号の頭に「０５０」のようなＩＰ接続を指定するダイヤル情報を付与し、交換機はこのダイヤル情報の有無に応じてルート選択を行うようにしている（特許文献１の段落００７５参照）。
【０００６】
これに対し、電話番号を全く変えることなしに、一般電話端末をＩＰ電話端末にそのまま変更（以下、これを「ＶｏＩＰ（Voice over Internet protocol）化」と呼ぶ。）したいという要求も存在する。この場合、電話端末をＶｏＩＰ化する度に、その電話端末が接続された加入者交換機と、その電話番号の一部を収容する全ての中継交換機のルート情報を変更する必要がある。具体的には、例えば電話交換網とＩＰネットワークを接続するゲートウェイサーバを大阪に配置して、電話交換網に接続された東京都内を示す「03-5555-1234」という番号の電話端末をＶｏＩＰ化しようとすると、日本全国の局の交換機で「03-5555-1234」という番号だけを大阪に向けるためのルート情報の変更が必要になる。
【０００７】
このようなルート情報の変更数は、電話交換網の規模に比例して多くなる。また、同時期にルート情報を変更する必要があるため、現地保守員による対応、予め用意した変更用ルート情報を遠隔地から一斉配信するシステム、のいずれも運用上の負担・コストが大きい。また、電話の不接続時間を無くすために、完全に同期してのルート情報変更作業を行う必要があるが、これは事実上不可能である。
【０００８】
本発明は、このような問題点に鑑みなされたもので、電話交換網の規模に拘らず、電話端末のＶｏＩＰ化によるルート情報の変更処理が不要となり、運用負担の軽減によるコスト低減を図ることができる加入者交換機、中継交換機及び電話交換システムを提供することを目的とする。
【課題を解決するための手段】
【０００９】
本発明に係る電話交換システムは、中継交換機、加入者交換機等の電話交換機及び電話端末が接続された電話交換網とインターネット電話端末が接続されたインターネットとがゲートウェイサーバを介して接続されたネットワークシステムにおける電話交換システムにおいて、前記インターネット電話端末の電話番号を管理する端末管理情報サーバを設けると共に、この端末管理情報サーバと前記電話交換機とを共通線信号網を介してアクセス可能に構成し、予め前記電話交換機から前記ゲートウェイサーバへのルート情報を電話交換機毎に登録する手段と、任意の電話端末又は電話交換機からの着信に応答してどの電話端末又は電話交換機からの着信かを分析する手段と、着信が前記加入者交換機に接続された電話端末又は前記中継交換機に接続された他の電話交換網の電話交換機からの着信である場合、着信を検出した前記加入者交換機又は中継交換機から前記端末管理情報サーバにアクセスする手段と、接続先の電話端末が前記端末管理情報サーバに管理されている電話端末かどうかを判別する手段と、前記接続先の電話端末が前記端末管理情報サーバに管理されている電話端末でなければ電話番号に対応する前記電話交換網のルート情報をもとに接続制御を実行し、前記接続先の電話端末が前記端末管理情報サーバに管理されている電話端末であれば前記登録されたゲートウェイサーバへのルート情報に基づいて接続制御を実行する手段とを備えたことを特徴とする。
【００１０】
本発明の一つの実施形態においては、前記ゲートウェイサーバは、複数設けられ、前記ゲートウェイサーバへのルート情報を登録する手段は、前記複数のゲートウェイサーバへの複数のルート情報を前記中継交換機及び加入者交換機毎に登録する手段であり、前記端末管理情報サーバは、前記インターネット電話端末の電話番号と前記インターネット電話端末に対応するルート情報とを管理するものであることを特徴とする。
【００１１】
本発明に係る加入者交換機は、中継交換機、加入者交換機及び電話端末が接続された電話交換網とインターネット電話端末が接続されたインターネットとがゲートウェイサーバを介して接続されると共に、前記インターネット電話端末の電話番号を管理する端末管理情報サーバを設け、この端末管理情報サーバと前記中継交換機及び加入者交換機とを共通線信号網を介してアクセス可能に構成したネットワークシステムに使用される加入者交換機であって、予め前記ゲートウェイサーバへのルート情報を登録する手段と、任意の電話端末からの着信に応答してどの電話端末からの着信かを分析する手段と、着信が自己の加入者交換機に接続された電話端末からの着信である場合、前記端末管理情報サーバにアクセスする手段と、接続先の電話端末が前記端末管理情報サーバに管理されている電話端末かどうかを判別する手段と、前記接続先の電話端末が前記端末管理情報サーバに管理されている電話端末でなければ電話番号に対応するルート情報をもとに接続制御を実行し、前記接続先の電話端末が前記端末管理情報サーバに管理されている電話端末であれば前記登録されたゲートウェイサーバへのルート情報に基づいて接続制御を実行する手段とを備えたことを特徴とする。
【００１２】
本発明に係る中継交換機は、中継交換機、加入者交換機及び電話端末が接続された電話交換網とインターネット電話端末が接続されたインターネットとがゲートウェイサーバを介して接続されると共に、前記インターネット電話端末の電話番号を管理する端末管理情報サーバを設け、この端末管理情報サーバと前記中継交換機及び加入者交換機とを共通線信号網を介してアクセス可能に構成したネットワークシステムに使用される中継交換機であって、予め前記ゲートウェイサーバへのルート情報を登録する手段と、任意の電話交換機からの着信に応答してどの電話交換機からの着信かを分析する手段と、着信が他の電話交換網に接続された電話交換機からの着信である場合、前記端末管理情報サーバにアクセスする手段と、接続先の電話端末が前記端末管理情報サーバに管理されている電話端末かどうかを判別する手段と、前記接続先の電話端末が前記端末管理情報サーバに管理されている電話端末でなければ電話番号に対応するルート情報をもとに接続制御を実行し、前記接続先の電話端末が前記端末管理情報サーバに管理されている電話端末であれば前記登録されたゲートウェイサーバへのルート情報に基づいて接続制御を実行する手段とを備えたことを特徴とする。
【発明の効果】
【００１３】
本発明によれば、各中継交換機及び加入者交換機に、予め電話番号に依存しないゲートウェイサーバへのルート情報を登録しておき、着信があったときには、着信を検出した中継交換機又は加入者交換機が、インターネット電話端末を管理している端末管理情報サーバにアクセスし、接続先の電話端末が、インターネット電話端末として管理されているかどうかを判別し、その判別結果に基づいて電話番号に対応するルート情報、又はゲートウェイサーバへのルート情報を選択し、この選択されたルート情報に基づいて接続制御を行うようにしているので、電話端末を同一電話番号でＶｏＩＰ化した場合でも、個々の加入者交換機及び中継交換機のルート情報を変更する必要が無くなる。このため、電話端末のＶｏＩＰ化によるルート情報の変更処理が不要となり、運用負担の軽減によるコスト低減を図ることができる。
【発明を実施するための最良の形態】
【００１４】
以下、図面に基づいて本発明の実施の形態について説明する。
図１は、本発明の一実施形態に係るネットワークシステムの構成を示す図である。
このネットワークシステムは、電話交換網１と、ＩＰネットワーク２と、これらを接続するゲートウェイサーバ３ａ，３ｂとを含む。電話交換網１には、他の電話交換網、例えば携帯電話網等の他網４が接続されることもある。
【００１５】
電話交換網１は、縦続接続された複数の中継交換機１１と、これら中継交換機１１のそれぞれの配下に接続された複数の加入者交換機１２と、これら加入者交換機１２の配下にそれぞれ接続された複数の電話端末１３とにより構成されている。各中継交換機１１及び加入者交換機１２は、共通線信号網１４に接続されている。
【００１６】
一方、ＩＰネットワーク２には、複数のＩＰ電話端末２１が、例えばインターネットサービスプロバイダ（ＩＳＰ）２２を介して常時接続されている。また、ＩＰネットワーク２には、ＩＰ電話端末２１の電話番号を管理するＶｏＩＰ端末管理情報サーバ２３が接続されている。このＶｏＩＰ端末管理情報サーバ２３は、交換機１１，１２の共通線信号網１４に接続され、各交換機１１，１２からアクセス可能となっている。
【００１７】
電話交換網１の中継交換機１１及び加入者交換機１２は、着信があった電話端末１３及び接続先の電話端末１３の電話番号に基づいて接続するルートを決定するためのルート情報を内部に記憶と共に、ＩＰネットワーク２のゲートウェイサーバ３ａ，３ｂへの接続のためのそれぞれのルート情報を内部に記憶している。なお、この例では、異なる地域に接続された２つのゲートウェイサーバ３ａ，３ｂがそれぞれ中継交換機１１ｃ，１１ｂと接続された例を示している。
また、中継交換機１１及び加入者交換機１２は、着信応答動作において、先ず、共通線信号網１４を介してＩＰネットワーク２のＶｏＩＰ端末管理情報サーバ２３をアクセスし、 ＶｏＩＰ端末管理情報サーバ２３に登録されているＶｏＩＰ端末管理情報に基づいて接続先へのルートを決定する。
【００１８】
図２は、中継交換機１１及び加入者交換機１２の構成を示すブロック図である。
接続制御部３１は、回線インターフェース部３２を介して次の接続先、すなわち他の中継交換機１１、加入者交換機１２又は電話端末１３との接続制御を実行すると共に、信号網インターフェース部３３及び共通線信号網１４経由で接続制御を実行する。遠隔情報アクセス部３４は、信号網インターフェース部３３及び共通線信号網１４経由でＶｏＩＰ端末管理情報サーバ２３にアクセスする。着信電話番号分析部３５は、着信のあった場合、どこからの着信であるかを分析する。ＩＰネットワーク接続ルート決定部３６は、ＶｏＩＰ端末管理情報に基づいて、ＩＰネットワーク２への接続ルートを決定する。接続ルート選択部３７は、着信電話番号分析部３５及びＩＰネットワーク接続ルート決定部３６での分析結果及び決定結果に基づいて接続ルートを選択する。
【００１９】
図３は、ＶｏＩＰ端末管理情報サーバ２３の要部構成を示すブロック図である。
ＶｏＩＰ端末管理情報サーバ２３は、共通線信号網１４にアクセスするための信号網インターフェース部４１と、ＶｏＩＰ端末管理情報を記憶したＶｏＩＰ端末管理情報データベース（ＤＢ）４２と、信号網インターフェース部４１を介して受信されたアクセス要求に基づいてＶｏＩＰ端末管理情報ＤＢ４２をアクセスするＤＢ検索処理部４３とを備えている。
【００２０】
ＶｏＩＰ端末管理情報ＤＢ４２には、例えば図４に示すようなＶｏＩＰ端末管理情報が記憶されている。このＶｏＩＰ端末管理情報は、ＩＰネットワーク２接続されているＩＰ電話端末の電話番号、その電話番号への接続ルートを示すグループ番号及びＩＰアドレス等のその他の情報を１つのレコードとする情報である。
【００２１】
次に、このように構成されたネットワークシステムにおける電話交換方法について説明する。
いま、図５に示すように、電話交換網１の中の中継交換機１１ａに接続された加入者交換機１２ａに接続された電話端末１３ａを接続先とする接続ルートを考えると、加入者交換機１２ａ内には、電話端末１３ａの電話番号の全桁によって特定される接続ルート、すなわち接続先の電話端末１３ａ以外の配下の全ての電話端末１３及び上位の中継交換機１１ａから電話端末１３ａへの接続ルートがルート情報として予め設定されている。また、中継交換機１１ａ内には、電話番号の最上位桁から所定桁までによって特定される接続ルート、すなわち加入者交換機１２ａ以外の全ての配下の加入者交換機１２、中継交換機１１ｂ及び他網４から電話端末１３ａを収容した加入者交換機１２ａへの接続ルートが予め設定されている。同様に、他の全ての中継交換機１１及び加入者交換機１２には、他の交換機やＩＰネットワークから電話端末１３ａへ接続するための接続ルートがルート情報として予め設定されている。
【００２２】
また、この電話交換網１には、予めＩＰネットワーク２に接続するためのルート情報も登録されている。このルート情報は、図５中、点線矢印で示すルートで、この例の場合、中継交換機１１ｂからゲートウェイサーバ３ｂを介してＩＰネットワーク２に接続するルートと、中継交換機１１ｃからゲートウェイサーバ３ａを介してＩＰネットワーク２に接続するルートの２つのルート情報が登録されている。これらのルート情報がＶｏＩＰ端末管理情報のグループ番号ＡＡ，ＺＺに対応する。
【００２３】
ここで、図６に示すように、電話端末１３ａが同一の電話番号を維持したままＩＰ電話端末２１ａとしてＶｏＩＰ化する場合、各中継交換機１１及び加入者交換機１２のルート情報を変更することなく、電話端末１３ａの電話番号及びグループ番号をＶｏＩＰ端末管理情報サーバ２３に登録するだけで良い。
【００２４】
次に、上述したシステムにおけるいずれかの中継交換機１１又は加入者交換機１２で着信が検出された場合の交換動作について説明する。
図７は、加入者交換機１２における交換動作を説明するためのフローチャートである。まず、着信電話番号分析部３５で、どこからの着信であるかを分析する（Ｓ１１）。着信が上位の中継交換機１１からなされている場合には、接続ルート選択部３７が、電話番号に対応したルート情報での接続を実行し、加入者交換機１２内の電話端末１３への接続がなされる（Ｓ１２）。
【００２５】
一方、着信が配下の電話端末１３からなされている場合には、遠隔情報アクセス部３４が、信号網インターフェース部３３及び共通先信号網１４経由でＶｏＩＰ端末管理情報サーバ２３にアクセスする（Ｓ１３）。ＶｏＩＰ端末管理情報サーバ２３では、ＤＢ検索処理部４３がＶｏＩＰ端末管理情報ＤＢ４２を検索し、指定された電話番号がＶｏＩＰ端末管理情報として登録されているか否かを確認する（Ｓ１４）。もし、該当するＶｏＩＰ端末が存在しない場合には、その結果をアクセス元の加入者交換機１２に返送する。この場合も、接続ルート選択部３７が、電話番号に対応したルート情報での接続を実行し、電話交換網１を介した接続がなされる（Ｓ１２）。
【００２６】
もし、該当するＶｏＩＰ端末が存在する場合には、ＶｏＩＰ端末管理情報サーバ２３は、その結果をグループ番号と共にアクセス元の加入者交換機１２に返送する。この場合には、ＩＰネットワーク接続ルート決定部３６が、ＶｏＩＰ端末のグループ番号からＩＰネットワーク２への接続ルートを決定し（Ｓ１５）、接続ルート選択部３７が、グループ番号に対応したルート情報での接続を実行し、ＩＰネットワーク２介した接続がなされる（Ｓ１６）。これにより、ＩＰネットワーク２側で、ＶｏＩＰ端末管理情報サーバ２３内に記憶されたＩＰアドレスに基づいて、該当するＶｏＩＰ電話端末２１への接続が確立される。
【００２７】
図８は、中継交換機１１における交換動作を説明するためのフローチャートである。この交換動作も、基本的には加入者交換機１２における交換動作と同様であるため、図７と同一のステップについては、同一符号を付して重複するステップの説明は割愛する。
まず、着信電話番号分析部３５で、どこからの着信であるかを分析する（Ｓ２１）。着信が他の中継交換機１１又は配下の加入者交換機１２からなされている場合には、それがＩＰネットワーク接続ルートかどうかを判別し（Ｓ２２）、ＩＰネットワーク接続ルートでない場合には、接続ルート選択部３７が、電話番号に対応したルート情報での接続を実行して、電話交換網１を介した接続がなされる（Ｓ１２）。また、ＩＰネットワーク接続ルートである場合には、接続ルート選択部３７が、そのルート情報によるＩＰネットワーク２を介した接続がなされる（Ｓ１６）。
【００２８】
一方、着信が他網４からなされている場合には、遠隔情報アクセス部３４が、信号網インターフェース部３３及び共通先信号網１４経由でＶｏＩＰ端末管理情報サーバ２３にアクセスする（Ｓ１３）。
以後の処理は、加入者交換機１２と同様である。
【００２９】
このように、本実施形態のネットワークシステムによれば、電話端末１３のＶｏＩＰ化に際して、中継交換機１１及び加入者交換機１２のルート情報を変更する必要が無く、運用負担の軽減によるコスト低減を図ることができる。
【図面の簡単な説明】
【００３０】
【図１】本発明の一実施形態に係るネットワークシステムの構成を示す図である。
【図２】同システムにおける中継交換機及び加入者交換機のブロック図である。
【図３】同システムにおけるＶｏＩＰ端末管理情報サーバのブロック図である。
【図４】同ＶｏＩＰ端末管理情報サーバに記憶されているＶｏＩＰ端末管理情報を示す図である。
【図５】同システムにおけるルート情報を説明するための図である。
【図６】同システムにおいて電話端末をＶｏＩＰ化した様子を示す図である。
【図７】同システムにおける加入者交換機の交換動作を示すフローチャートである。
【図８】同システムにおける中継交換機の交換動作を示すフローチャートである。
【００３１】
１…電話交換網
２…ＩＰネットワーク
３ａ，３ｂ…ゲートウェイサーバ
４…他網
１１…中継交換機
１２…加入者交換機
１３…電話端末
１４…共通線信号網
２１…ＩＰ電話端末
２２…ＩＳＰ
２３…ＶｏＩＰ端末管理情報サーバ
【図１】
2005175522.tif 000003
【図２】
2005175522.tif 000004
【図３】
2005175522.tif 000005
【図４】
2005175522.tif 000006
【図５】
2005175522.tif 000007
【図６】
2005175522.tif 000008
【図７】
2005175522.tif 000009
【図８】
2005175522.tif 000010